(57)【要約】【課題】筺体部に表示機能を備える電子機器に関し、横長の横画面が持つ横方向の表示能力の有効利用を図る。【解決手段】開閉可能及び回転可能な筐体部に表示機能を備える電子機器（携帯端末装置２）であって、縦画面又は横画面（１７６）を表示する表示部（１８）と、筺体部の開閉及び回転を検出するセンサ（センサ部９６）と、センサの出力を受け、閉状態にある筺体部の回転により、表示部に横サブ画面（１９４）を設定して、該横サブ画面に文書タイトルを表示させ、筺体部を開状態にすると、表示部を横サブ画面から横画面の表示に切り替え、横画面に該横画面が有する表示可能な全横幅の表示欄（文書表示欄１７８）を設定し、該表示欄に文書情報又は文書を含む情報を表示させる制御部（ＣＰＵ９０）とを備える。【選択図】図２０
2011050093.tif 000002
【特許請求の範囲】
【請求項１】
開閉可能及び回転可能な筐体部に表示機能を備える電子機器であって、
縦画面又は横画面を表示する表示部と、
前記筺体部の開閉及び回転を検出するセンサと、
前記センサの出力を受け、閉状態にある前記筺体部の回転により、前記表示部に横サブ画面を設定して、該横サブ画面に文書タイトルを表示させ、前記筺体部を開状態にすると、前記表示部を前記横サブ画面から前記横画面の表示に切り替え、前記横画面に該横画面が有する表示可能な全横幅の表示欄を設定し、該表示欄に文書情報又は文書を含む情報を表示させる制御部と、
を備えることを特徴とする電子機器。
【請求項２】
請求項１の電子機器において、
前記制御部は、前記表示部を前記縦画面から前記横画面に切り替えた場合、前記縦画面の表示内容を前記横画面の前記表示欄に切り替えて表示することを特徴とする電子機器。
【請求項３】
請求項１の電子機器において、
前記制御部は、前記筺体部が開状態である場合、前記センサの回転検出情報に基づき、前記表示部を前記横画面の表示に切り替えることを特徴とする電子機器。
【請求項４】
開閉可能及び回転可能な筐体部に表示機能を備える電子機器の制御方法であって、
縦画面又は横画面を表示するステップと、
前記筺体部の開閉及び回転を検出するステップと、
閉状態にある前記筺体部の回転により、表示部に横サブ画面を設定して、該横サブ画面に文書タイトルを表示させ、前記筺体部を開状態にすると、前記表示部を前記横サブ画面から前記横画面の表示に切り替え、前記横画面に該横画面が有する表示可能な全横幅の表示欄を設定し、該表示欄に文書情報又は文書を含む情報を表示させるステップと、
を含むことを特徴とする電子機器の制御方法。
【請求項５】
コンピュータにより実行される、開閉可能及び回転可能な筐体部に表示機能を備える電子機器の制御プログラムであって、
縦画面又は横画面を表示するステップと、
前記筺体部の開閉及び回転を検出するステップと、
閉状態にある前記筺体部の回転により、表示部に横サブ画面を設定して、該横サブ画面に文書タイトルを表示させ、前記筺体部を開状態にすると、前記表示部を前記横サブ画面から前記横画面の表示に切り替え、前記横画面に該横画面が有する表示可能な全横幅の表示欄を設定し、該表示欄に文書情報又は文書を含む情報を表示させるステップと、
を含み、コンピュータに実行させることを特徴とする電子機器の制御プログラム。
【発明の詳細な説明】
【技術分野】
【０００１】
本発明は、回転可能及び／又は開閉可能な筐体部側に表示機能を備える携帯端末装置等の電子機器に関し、特に、メール文書等の文書は横画面の全幅表示（所謂フルテキスト表示）に切り替えて表示する電子機器、その制御方法及びその制御プログラムに関する。
【背景技術】
【０００２】
従来、筐体部に折畳み機能や回転機能を備え、表示部と入力操作部とを別の筐体部に備える携帯端末装置等の電子機器が知られている。このような電子機器に関し、特許文献１では、操作部を有する下側ユニットと、表示部を有する上側ユニットとをヒンジ部によって結合して折り畳み可能にし、上側ユニットは表示部ユニットを回転／スライド機構によって回転及びスライド可能にし、その回転及びスライド操作により、表示部ユニットにある表示部を縦長状態又は横長状態にして表示することが開示されている。また、特許文献１は、横長の表示面により、大量の文字情報の確認が容易に行え、また、横長画像を表示した場合に見易いと述べている。
【先行技術文献】
【特許文献】
【０００３】
【特許文献１】特開２００３−３１９０４３号公報（要約、図２、段落番号００５３等）
【発明の概要】
【発明が解決しようとする課題】
【０００４】
表示部を横長にすれば、縦長の表示より横方向の表示幅が大きくなり、表示文字数を増加させることができることは長方形の表示部を用いれば当然であり、特許文献１には、この点について、横長表示の優れる点やカメラ撮影や画像表示の説明があるにすぎない。
【０００５】
また、横長に表示部を切り替える場合でも、表示部の回転操作のみではなく、スライド操作を伴う場合（特許文献１）には、操作に手間取るという課題もある。
【０００６】
ところで、携帯端末装置等の電子機器では、電子メールの送受信やインターネットから情報提供を受け、多量の文書を表示部に表示することが行われており、表示する文書の内容は多岐に亘っている。電子メールや提供される文字の情報量は大きく、表示される文書は長大化の傾向にある。このような文書には把握の迅速化が求められている。ここで、「電子メール」は、コンピュータを用いたネットワークを媒介とし、コンピュータ等の端末装置が文字等の情報を文書の形態で交換するシステムである。
【０００７】
斯かる課題について、特許文献１にはその開示や示唆はなく、それを解決する構成等についての開示や示唆はない。
【０００８】
そこで、本発明の目的は、回転可能及び／又は開閉可能な筐体部に表示機能を備える電子機器に関し、横長の横画面が持つ横方向の表示能力の有効利用を図ることにある。
【０００９】
また、本発明の他の目的は、回転可能及び／又は開閉可能な筐体部に表示機能を備える電子機器に関し、機能性及び／又は操作性を向上させることにある。
【課題を解決するための手段】
【００１０】
上記目的を達成するため、本発明は、回転可能及び開閉可能な筐体部に表示機能を備える携帯端末装置等の電子機器に関し、文書情報や文書を含む情報を表示する場合には、表示部に横画面に表示可能な全横幅を表示欄に設定し、この表示欄に前記情報を表示することにより、フルテキスト表示を実現している。このように横画面の表示機能を活用すれば、文書等の情報の表示機能が高められ、情報内容の把握の容易化が図られる。また、横画面は、表示部を回転するのみで達成されるので、表示機能を備える電子機器の機能性及び操作性の向上に寄与する。よって、上記目的が達成される。
【００１１】
そこで、上記目的を達成するため、本発明の第１の側面は、開閉可能及び回転可能な筐体部に表示機能を備える電子機器であって、縦画面又は横画面を表示する表示部と、前記筺体部の開閉及び回転を検出するセンサと、前記センサの出力を受け、閉状態にある前記筺体部の回転により、前記表示部に横サブ画面を設定して、該横サブ画面に文書タイトルを表示させ、前記筺体部を開状態にすると、前記表示部を前記横サブ画面から前記横画面の表示に切り替え、前記横画面に該横画面が有する表示可能な全横幅の表示欄を設定し、該表示欄に文書情報又は文書を含む情報を表示させる制御部とを備える構成である。斯かる構成によって、上記目的が達成される。
【００１２】
上記目的を達成するためには、上記電子機器において、前記制御部は、前記表示部を前記縦画面から前記横画面に切り替えた場合、前記縦画面の表示内容を前記横画面の前記表示欄に切り替えて表示する構成としてもよい。斯かる構成によっても、上記目的が達成される。
【００１３】
上記目的を達成するためには、上記電子機器において、前記制御部は、前記筺体部が開状態である場合、前記センサの回転検出情報に基づき、前記表示部を前記横画面の表示に切り替える構成としてもよい。斯かる構成によっても、上記目的が達成される。
【００１４】
上記目的を達成するため、本発明の第２の側面は、開閉可能及び回転可能な筐体部に表示機能を備える電子機器の制御方法であって、縦画面又は横画面を表示するステップと、前記筺体部の開閉及び回転を検出するステップと、閉状態にある前記筺体部の回転により、表示部に横サブ画面を設定して、該横サブ画面に文書タイトルを表示させ、前記筺体部を開状態にすると、前記表示部を前記横サブ画面から前記横画面の表示に切り替え、前記横画面に該横画面が有する表示可能な全横幅の表示欄を設定し、該表示欄に文書情報又は文書を含む情報を表示させるステップとを含む構成である。斯かる構成によって、上記目的が達成される。
【００１５】
上記目的を達成するため、本発明の第３の側面は、コンピュータにより実行される、開閉可能及び回転可能な筐体部に表示機能を備える電子機器の制御プログラムであって、縦画面又は横画面を表示するステップと、前記筺体部の開閉及び回転を検出するステップと、閉状態にある前記筺体部の回転により、表示部に横サブ画面を設定して、該横サブ画面に文書タイトルを表示させ、前記筺体部を開状態にすると、前記表示部を前記横サブ画面から前記横画面の表示に切り替え、前記横画面に該横画面が有する表示可能な全横幅の表示欄を設定し、該表示欄に文書情報又は文書を含む情報を表示させるステップとを含み、コンピュータに実行させる構成である。斯かる構成によって、上記目的が達成される。
【発明の効果】
【００１６】
本発明によれば、次のような効果が得られる。
【００１７】
(1) 文字列等からなる文書情報又は文書を含む情報を表示する場合、横画面に対して表示可能な全横幅に表示欄を設定することにより、前記情報を表示するので、情報表示機能の向上が図られるとともに、表示された情報の把握が容易になる。
【００１８】
(2) 斯かる機能を備え、縦画面と横画面とを表示内容を切り替えるので、電子機器の機能性及び／又は操作性を向上させることができる。
【００１９】
そして、本発明の他の目的、特徴及び利点は、添付図面及び各実施の形態を参照することにより、一層明確になるであろう。
【図面の簡単な説明】
【００２０】
【図１】第１の実施の形態に係る携帯端末装置を示す斜視図である。
【図２】携帯端末装置の閉状態を示す側面図である。
【図３】携帯端末装置の開状態を示す正面図である。
【図４】開状態にある携帯端末装置の可動側筐体部の右回転（左回転）を示す図である。
【図５】携帯端末装置の制御方法の一例を示すフローチャートである。
【図６】携帯端末装置を示す分解斜視図である。
【図７】携帯端末装置の回転ロック機構の位置を示す図である。
【図８】可動側リアケース部の上面側を示す図である。
【図９】可動アーム部の裏面側を示す図である。
【図１０】ストッパ機構及び中心停止位置を示す図である。
【図１１】ストッパ動作を示す図である。
【図１２】ストッパ動作を示す図である。
【図１３】携帯端末装置の回路構成例を示す図である。
【図１４】メール文書が表示された横画面（受信メール一覧表示モード）を示す図である。
【図１５】メール文書が表示された横画面（受信メール内容表示モード）を示す図である。
【図１６】メール文書が表示された縦画面（縦メイン表示モード）を示す図である。
【図１７】表示部の処理を実行する制御プログラムの処理手順の一例を示す図である。
【図１８】第２の実施の形態に係る、メール文書が表示された横サブ画面（受信メール一覧表示モード）を示す図である。
【図１９】メール文書が表示された横画面（受信メール内容表示モード）を示す図である。
【図２０】制御プログラムの処理手順を示すフローチャートである。
【発明を実施するための形態】
【００２１】
〔第１の実施の形態〕
【００２２】
本発明の第１の実施の形態について、図１ないし図４を参照して説明する。図１は、携帯端末装置を示す斜視図、図２は、携帯端末装置の閉状態を示す側面図、図３は、携帯端末装置の開状態を示す正面図、図４は、開状態にある携帯端末装置の可動側筐体部の右回転（左回転）を示す図である。
【００２３】
この携帯端末装置２は、開閉部や回転部等の複数の可動部を備え、回転可能及び／又は開閉可能な電子機器の一例であって、図１及び図２に示すように、操作側筐体部として固定側筐体部４と、表示側筐体部として可動側筐体部６とを備えており、固定側筐体部４には可動アーム部８が開閉部であるヒンジ部１０によって取り付けられ、また、可動アーム部８には回転支持部としての回転モジュール１２が取り付けられ、この回転モジュール１２に可動側筐体部６が固定されている。この場合、ヒンジ部１０を中心とした回転により、可動側筐体部６を開閉でき、回転モジュール１２を中心とした回転により、可動側筐体部６を中心位置（回転の基準位置）から左右の所定角度に回転させることができる。即ち、この実施の形態では、固定側筐体部４、可動側筐体部６及び／又は可動アーム部８により、開閉可能及び／又は回転可能な筐体部が構成されている。
【００２４】
可動側筐体部６の回転中心Ｏａは、図３に示すように、ヒンジ部１０の近傍の位置に設定されており、可動側筐体部６には、半円形状の縁部として周縁部１４が形成されている。固定側筐体部４には、符号キーやカーソルキー等の複数のキーを備える入力操作部１６等が設置され、また、可動側筐体部６にはＬＣＤ（Liquid Crystal Display）素子等で構成される表示ユニットとして表示部１８が設置されている。入力操作部１６には、カーソルキー１６２、決定キー１６４、文字入力キー１６６等が含まれている。また、表示部１８は、縦と横の長さを異ならせた長方形状であり、可動側筐体部６の回転角度θ（０度ないし左右各９０度）に応じて第１の画面として例えば、縦長の縦画面、第２の画面として例えば、横長の横画面を表示する。
【００２５】
このような携帯端末装置２によれば、ヒンジ部１０を備えたことにより、可動側筐体部６を可動アーム部８とともに開閉させることができる。即ち、可動側筐体部６は、図１に示すように、可動アーム部８とともに閉じ、又は、図３に示すように、開状態で維持することができる。また、可動側筐体部６は、図４に示すように、回転モジュール１２によって中心位置から右方向又は左方向に所定角度例えば、９０度回転させ、固定側筐体部４に対してＬ字形に変形させることができる。図４に示す開状態において、ａは可動側筐体部６の中心線に一致する中心位置（左右回転開始点）、ｂは可動側筐体部６の右回転位置（右側回転終点）、ｃは可動側筐体部６の左回転位置（左側回転終点）である。
【００２６】
そこで、可動側筐体部６の開状態において、可動側筐体部６が中心位置ａにあれば、図３に示すように、表示部１８には縦画面、可動側筐体部６が右回転位置ｂにあれば、図４に実線で示すように、表示部１８には横画面、また、可動側筐体部６が左回転位置ｃにあれば、図４に破線で示すように、表示部１８には横画面を表示することができる。矢印Ａは、中心位置ａから右回転位置ｂへの回転、右回転位置ｂから中心位置ａへの回転（戻し回転）を表し、これが縦画面から右側横画面への画面切替え操作に相当する。同様に、矢印Ｂは、中心位置ａから左回転位置ｃへの回転、左回転位置ｃから中心位置ａへの回転（戻し回転）を表し、これが縦画面から左側横画面への画面切替え操作に相当する。
【００２７】
次に、携帯端末装置２の制御方法について、図１ないし図４及び図５を参照して説明する。図５は、携帯端末装置２の制御方法の一例である処理手順を示すフローチャートである。
【００２８】
この制御方法では、可動側筐体部６即ち、表示部１８が開状態か閉状態かを検出し（ステップＳ１）、閉状態であれば、固定側筐体部４に可動側筐体部６が重ねられているので、表示部１８は、閉状態になり、非表示とする（ステップＳ２）。
【００２９】
可動側筐体部６が開状態（図３）であって、可動側筐体部６の回転角度が０度であれば、可動側筐体部６は中心位置ａにあるので、表示部１８は縦画面状態となり、縦画面が表示される（ステップＳ３）。
【００３０】
可動側筐体部６が右側に回転され、又は左側に回転されると、その回転検出（ステップＳ４）に基づき、表示部１８は横画面状態に移行する（ステップＳ５）。このとき、横メイン表示モードとなり、表示部１８には横長の横画面が表示される。
【００３１】
メールモードを起動すれば、受信メール一覧表示モードが起動され、表示部１８の横画面には受信メール一覧が表示される（ステップＳ６）。メールモードや受信メール一覧表示モードは、文書情報又は文書を含む情報を表示する場合の一例である。
【００３２】
表示部１８の横画面に表示された受信メール一覧から特定文書の選択操作としてメール選択を行い（ステップＳ７）、それを決定すれば、受信メール一覧表示モードから受信メール内容表示モードに移行し、表示部１８の横画面には受信メールの内容が表示される（ステップＳ８）。
【００３３】
この受信メール内容表示モードも、文書情報又は文書を含む情報を表示する場合の一例であって、表示部１８に設定された横画面に対し、該横画面が有する表示可能な全横幅の表示欄が設定され、該表示欄に文書情報又は文書を含む情報として、受信メールの内容である文字列等が表示される。
【００３４】
そこで、この制御方法には、固定側筐体部４と可動側筐体部６との開閉操作、可動側筐体部６の回転操作等に対応し、縦画面又は横画面の表示切替え、横画面の全横幅に表示欄を設定し、その表示欄に文書等を表示する等の処理手順を含んでいる。
【００３５】
ａ) 可動側筐体部６の開閉又は回転の検出
【００３６】
固定側筐体部４に対し、可動側筐体部６は可動アーム部８及びヒンジ部１０によって開閉される。可動側筐体部６は、開状態又は閉状態の何れの場合も、可動アーム部８上で回転させることができる。そこで、可動側筐体部６が開状態か閉状態か、その回転角度に応じて表示形態を変更するため、開状態か閉状態かをセンサ部９６の開閉センサ１１２（図１３）によって検出し、可動側筐体部６の回転角度θは回転センサ４２、４４（図６、図１３）によって検出される。
【００３７】
ｂ）画面表示及びその切替え
【００３８】
可動側筐体部６が開状態にあって、中心位置ａにある場合、表示部１８には縦画面が表示される。また、可動側筐体部６が右回転位置ｂに回転すると、表示部１８には横画面が表示され、また、可動側筐体部６が左回転位置ｃに回転すると、表示部１８は横画面の表示態様に切り替えられる。この横画面の表示位置から可動筐体部６を中心位置ａに復帰させると、表示部１８は縦画面の表示に切り替えられる。これらの開閉検出や回転検出に基づく、表示部１８の画面の表示態様の切替えは、画面切替えの制御プログラムによって実行される。
【００３９】
ｃ）メールモード制御
【００４０】
メールモードには、受信メール一覧表示モード及び受信メール内容表示モードが含まれている。受信メール一覧表示モードは、表示部１８の縦画面又は横画面に受信メールの一覧を受信日時順に例えば、最新のものから古いものに発信元やタイトル等を画面に表示するモードである。受信メール内容表示モードは、受信メール一覧表示モードで表示された一覧から選択された受信メールの文書内容等を画面に表示する機能である。
【００４１】
このような処理は、メニューが表示された画面からメールモードを選択すると、受信メール一覧表示モードに移行し、画面に展開された受信メール一覧表示からカーソルキー１６２や決定キー１６４の操作により受信メールを選択すると、受信メール内容表示モードに移行し、選択された受信メールの内容が横画面に表示される。このような制御は、後述の制御プログラムによって実行される。
【００４２】
ｄ）受信メール一覧表示モード又は受信メール内容表示モードと画面制御
【００４３】
可動側筐体部６が横方向に回転されると、表示部１８は横画面状態となり、表示部１８には横画面が表示される。この場合、メールモードが実行されており、受信メール一覧表示モードから受信メール内容表示モードに移行すると、横画面の文書表示機能として、横画面が有する表示可能な全横幅の表示欄が横長の横画面に設定される。全横幅を表示欄とした横画面には、受信メールの内容が表示される。受信メールの文字列は、横長の横画面に設定された表示欄に表示されるので、横方向の文字数が少なく行数の多い縦画面表示に比較し、一行中の文字数が多くなるので、読み易く、文意の把握が容易になる。
【００４４】
次に、この携帯端末装置２の構成例について、図６ないし図１２を参照して説明する。図６は、携帯端末装置２を示す分解斜視図、図７は、携帯端末装置の回転ロック機構の位置を示す図、図８は、可動側リアケース部の上面側を示す図、図９は、可動アーム部の裏面側を示す図、図１０、図１１及び図１２は、ストッパ構造及びその動作を示す図である。図６ないし図１２において、図１ないし図５と同一部分には、同一符号を付してある。
【００４５】
図６に示すように、固定側筐体部４は固定側フロントケース部２０及び固定側リアケース部２２を備え、この固定側フロントケース部２０の長手方向の縁部側にはヒンジ部１０の軸受部２４が形成されている。この軸受部２４には軸受孔２６が設けられている。固定側リアケース部２２には固定側基板等が搭載されている。
【００４６】
可動側筐体部６は可動側フロントケース部２８及び可動側リアケース部３０を備え、可動側リアケース部３０の円形部３２側には回転モジュール１２が取り付けられている。この回転モジュール１２の回転中心部には透孔３６が形成され、この透孔３６は図示しないケーブルの通過に用いられる。
【００４７】
可動側フロントケース部２８には可動側基板４０が設置され、この可動側基板４０には、可動側筐体部６の回転方向、回転角度θを検出する回転センサ４２、４４が設置されている。
【００４８】
可動アーム部８は、アーム部４６とアームカバー部４８とを備える。アーム部４６の円形部５０側には、既述の回転モジュール１２とともに可動側筐体部６の可動側リアケース部３０が固定手段として例えば、複数のネジ５２によって固定される。また、アーム部４６には、ヒンジ部１０の軸受部５４、５６が形成され、各軸受部５４、５６の間隔５８内に固定側筐体部４の軸受部２４が挿入される。軸受部５４には固定側筐体部４の軸受部２４に到達するヒンジ軸としてのヒンジモジュール６０が挿入されて固定され、また、軸受部５６にもヒンジ軸としてのヒンジモジュール６２が挿入されて固定される。ヒンジモジュール６２は、図示しないケーブルを挿通させるため、ケーブルガイドとして構成してもよい。
【００４９】
また、この可動アーム部８のアーム部４６には、可動側筐体部６の可動側フロントケース部２８側に設置された回転センサ４２、４４と同一軌道上に複数のマグネットとして３つのマグネットＭ２、Ｍ３、Ｍ４が設置されている。回転する可動側筐体部６の中心位置ａ、右回転位置ｂ又は左回転位置ｃが、これら回転センサ４２、４４とマグネットＭ２、Ｍ３、Ｍ４によって検出される。
【００５０】
アームカバー部４８は、アーム部４６の上面を覆う蓋部６４と、各軸受部５４、５６を覆う被覆部６６、６８とを備えている。蓋部６４は、アーム部４６に接合されてアーム部４６の上面を防護し、被覆部６６、６８は、各軸受部５４、５６の周壁部を覆い、各軸受部５４、５６を補強し、防護する。
【００５１】
ヒンジ部１０は、既述の通り、固定側筐体部４の軸受部２４と、可動アーム部８の軸受部５４、５６と、ヒンジモジュール６０、６２とを以て構成され、固定側筐体部４に可動アーム部８を開閉可能（この実施の形態では、１８０度に開閉可能）に支持している。また、回転モジュール１２は、可動アーム部８に可動側筐体部６を回転可能に支持している。
【００５２】
そこで、可動側筐体部６を回転モジュール１２を介して回転可能に支持する可動アーム部８、可動アーム部８上で回転モジュール１２により回転可能な可動側筐体部６には、可動側筐体部６の左右許容回転角９０度の中心位置即ち、０度位置を決定する回転ロック機構７０（図７等）と、左右許容回転角９０度の回転範囲を決定するストッパ機構７２（図１０等）とが設置されている。
【００５３】
この実施の形態では、図６に示すように、回転ロック機構７０のピン係合部７４が可動側リアケース部３０に一体成形されている。ピン係合部７４は、図８に示すように、回転モジュール１２より外側に設置され、可動側リアケース部３０の上面に突出している。ピン係合部７４と係合するロックピン７６は、可動アーム部８のアーム部４６に取り付けられ、この実施の形態の場合、アーム部４６の内側に設置されている。
【００５４】
回転ロック機構７０は、図９に示すように、可動アーム部８に回転モジュール１２を介して回転可能に支持されている可動側筐体部６を固定側筐体部４に一致する位置即ち、中心位置ａに固定し、保持させるための機構である。ここで、可動側筐体部６を可動アーム部８に固定、保持させることは、ユーザにその位置が基準位置であることを認識させ、かつ、ユーザが回転する意思を以て右又は左の方向に力を加えない限り、移動しない程度の保持状態であって、移動を許可しないといったロック状態を想定したものではない。通常の回転操作のための負荷では回転しない程度の保持を行う。
【００５５】
この実施の形態では、可動側筐体部６を固定側筐体部４に一致する位置即ち、中心位置ａに固定し、保持させるため、可動アーム部８に固定された回転モジュール１２の回転中心Ｏａを貫く仮想中心軸７８（図７）上に回転ロック機構７０が設置されている。
【００５６】
また、ストッパ機構７２は、図１０に示すように、回転ロック機構７０を中心に、可動側筐体部６の左右回転の最大回転角度を設定し、その最大回転角度で可動側筐体部６を停止させる構造であって、この実施の形態では、ピン係合部７４をストッパ部に共用しており、ピン係合部７４には、ストッパ面８０、８２が形成されている。
【００５７】
このピン係合部７４に対し、ピン係合部７４が挿入される円弧状の溝部８４が形成され、溝部８４の終端部でピン係合部７４のストッパ面８０、８２を接触させるストッパ８６、８８が形成されている。具体的には、ストッパ面８０がストッパ８６、ストッパ面８２がストッパ８８に当たり、可動側筐体部６の回転が阻止される。この阻止される位置が中心位置ａから左右９０度の位置ｂ、ｃである。
【００５８】
斯かる構成によれば、図１０に示す位置にある可動側筐体部６を左側に回転させると、図１１に示すように、ピン係合部７４のストッパ面８０が溝部８４の終端部であるストッパ８６に当たり、可動側筐体部６が左側９０度の位置で停止する。また、図１０に示す位置にある可動側筐体部６を右側に回転させると、図１２に示すように、ピン係合部６４のストッパ面８２が溝部８４の終端部であるストッパ８８に当たり、可動側筐体部６が右側９０度の角度で停止する。
【００５９】
次に、この携帯端末装置２の回路構成について、図１３を参照して説明する。図１３は、携帯端末装置２の電気回路部を示すブロック図である。図１３において、図１ないし図１２と同一部分には同一符号を付してある。
【００６０】
携帯端末装置２には、電話機能やメール送受信機能等に加え、既述の固定側筐体部４と可動側筐体部６との開閉操作、可動側筐体部６の回転操作等に対応し、既述の制御プログラムの実行による画面切替え、機能呼出し、選択項目の確定等の各種の制御機能が備えられている。
【００６１】
そこで、この携帯端末装置２には、入力操作部１６、表示部１８、ＣＰＵ（Central Processing Unit ）９０、メモリ部９２、電源部９４、センサ部９６、無線部９８、音響部１００が備えられている。入力操作部１６は複数のキーを備え、電話番号入力やメール文書作成のための文字入力等に用いられる。表示部１８は、縦画面又は横画面が表示され、可動側筐体部６の開閉状態や回転角度により異なる画面態様に切り替えられ、縦画面又は横画面の各画面に対応した画面レイアウトに制御される。
【００６２】
ＣＰＵ９０は、メモリ部９２にある制御プログラム等を実行し、入力操作部１６の入力、センサ部９６の検出信号の取込み等、検出情報や制御情報の取込み、メモリ部９２の情報の読み書き、表示部１８の画面制御等、各種の制御を行う。この場合、縦画面又は横画面について、各画面に対応する画面レイアウトの制御や、各画面に最適な機能を立ち上げ、縦画面に対応する機能では、縦長の縦画面の上下方向の広がりを利用してメニューリストの表示、データ一覧表示、電話履歴等の表示に用いる。また、横画面に対応する機能では、横長の横画面の幅方向の広がりを利用してカメラ画像のパノラマ表示や、英文テキスト表示、その加工、テレビジョン放送受信画面の展開等に用いる。
【００６３】
メモリ部９２には、画面切替え、横画面に対する表示欄の設定、文章の表示等の処理を含む制御プログラム、その他のプログラムや各種データが格納され、記録媒体として、この実施の形態では、ＳＤＲＡＭ（Synchronous Dynamic Random-Access Memory）１０２、実行用Ｆｌａｓｈメモリ１０４及び保存用Ｆｌａｓｈメモリ１０６で構成され、ＳＤＲＡＭ１０２、実行用Ｆｌａｓｈメモリ１０４及び保存用Ｆｌａｓｈメモリ１０６は、バス１０８を介してＣＰＵ９０に接続されている。
【００６４】
ＳＤＲＡＭ１０２は、作業エリアを構成し、保存用Ｆｌａｓｈメモリ１０６から読み出してローディングされたプログラムを実行し、演算処理や制御情報を生成させる。実行用Ｆｌａｓｈメモリ１０４には各種データが格納され、データベース等が構築される。保存用Ｆｌａｓｈメモリ１０６には、ＯＳ（Operating System）や制御プログラム等の各種プログラムが格納されている。
【００６５】
外部メモリＩＦ（インタフェース）１１０には、メモリカード等の外部メモリが接続され、この外部メモリには、電話番号やメールアドレス等のアドレスデータ、各種コンテンツ等が格納される。
【００６６】
電源部９４は、バッテリ、ＣＰＵ９０によって制御されるバッテリ充電回路、安定化回路、電源制御回路等を備えており、無線部９８等の各種機能部に給電する。
【００６７】
センサ部９６は、可動アーム部８による可動側筐体部６の開閉や、可動側筐体部６の回転角度θ（＝０度ないし左右各９０度）及び回転方向を検出する。そこで、このセンサ部９６には、開閉センサ１１２、回転センサ４２、４４が含まれている。開閉センサ１１２は、マグネットＭ１（図６）からの磁束の有無を検出し、その可動側筐体部６が開状態にあるか、閉状態にあるかを表す検出出力を発生する。回転センサ４２、４４は可動側筐体部６の可動側基板４０に設置されており、３つのマグネットＭ２、Ｍ３、Ｍ４（図６）の設置位置は、回転する可動側筐体部６の回転センサ４２、４４の軌道上の位置と一致している。
【００６８】
例えば、可動側筐体部６の中心位置ａ（図３）にある回転センサ４２にマグネットＭ２、回転センサ４４にマグネットＭ３が重なるので、回転センサ４２、４４から可動側筐体部６の中心位置ａにあることを表す出力が得られる。中心位置ａでは、回転センサ４２、４４から例えば、高レベル出力又は低レベル出力の同一出力が得られる。また、可動側筐体部６を右又は左に回転させると、回転センサ４２、４４にはマグネットＭ２、Ｍ３、Ｍ４から作用する磁力に変化が生じ、その変化に応じた出力が回転センサ４２、４４に生じる。この出力変化は、左右の回転角度θ＝２０度から生じるので、それが右側又は左側への回転方向を表す。そして、右側９０度の位置又は左側９０度の位置を表す出力が回転センサ４２、４４により得られる。例えば、回転センサ４２から高レベル出力、回転センサ４４から低レベル出力が得られる場合には右側９０度の位置、これとは逆の出力が得られる場合には左側９０度の位置を表す。
【００６９】
無線部９８は、音声通信又はメール等のデータ通信の送受信をアンテナ１１８を通じて行い、音声やデータの変調処理、無線信号から音声やデータの復調処理等を行う。
【００７０】
音響部１００は、着信音声をスピーカ１２０を通して出力し、又は、マイクロフォン１２２からの送話音声の取込み及び増幅等を行う。
【００７１】
次に、表示部１８の縦画面及び横画面の表示について、図１４ないし図１６を参照して説明する。図１４は、メール文書が表示された横画面（受信メール一覧表示モード）を示す図、図１５は、メール文書が表示された横画面（受信メール内容表示モード）を示す図、図１６は、メール文書が表示された縦画面（縦メイン表示モード）を示す図である。図１４ないし図１６において、図１ないし図１３と同一部分には同一符号を付してある。
【００７２】
表示部１８に文書情報又は文書を含む情報を表示する場合には、受信メール一覧表示モード、受信メール内容表示モード等が含まれ、表示部１８の画面態様には横メイン表示モード、縦メイン表示モードがある。
【００７３】
１）横画面（受信メール一覧表示モード）（図１４）
【００７４】
可動側筐体部６を中心位置ａから右方向に回転すれば横長の横画面１３０が表示される。受信メール一覧表示モードの横画面１３０には、ステータス表示欄１３２と受信メール一覧表示欄１３４とが設定される。
【００７５】
ステータス表示欄１３２には、電池残量状態を表す電池マーク１３６、電波強度状態を表す電波強度マーク１３８、未読メールの有無を表すメールマーク１４０、現在日時を表す日時表示１４２、メニューアイコン１４４、返信アイコン１４６、選択アイコン１４８、転送アイコン１５０が表示されている。メニューアイコン１４４、返信アイコン１４６、選択アイコン１４８、転送アイコン１５０は、入力操作部１６のキーに対応し、メニューアイコン１４４はメニュー欄の呼び出しに用いられ、返信アイコン１４６はメール返信の指示に用いられ、選択アイコン１４８は画面上の選択項目例えば、メール選択に用いられ、また、転送アイコン１５０はメール転送の指示に用いられる。
【００７６】
また、受信メール一覧表示欄１３４は、縦画面１５２（図１６）の縦メイン表示モードの表示幅Ｗと同一幅に設定されている。この場合、受信メール一覧表示欄１３４には、最上位欄にデータの格納先を表す受信ＢＯＸマーク１５４及びページ欄１５６が設定されている。そして、受信メール一覧表示欄１３４には、縦メイン表示モードの表示幅Ｗと同一幅で、受信メールマーク１５８、日時表示１７０、発信元１７２、タイトル１７４を単位として複数の受信メールが最新の日時から古いものに日時順に下方に向かって表示される。
【００７７】
２）横画面（受信メール内容表示モード）（図１５）
【００７８】
受信メール一覧表示モードの横画面１３０から特定の受信メールを選択すると、受信メール内容表示モードに移行し、横画面１７６が表示される。この横画面１７６は、表示部１８に文書情報又は文書を含む情報を表示する場合の画面であって、横画面１７６が有する表示可能な全横幅ＷＴ（＞Ｗ）の文書表示欄１７８が設定されている。この場合、文書表示欄１７８の上段には、関連情報表示欄１８０が設定され、文書表示欄１７８と関連情報表示欄１８０との間には、両者を仕切る仕切りバー１８２、文書表示欄１７８及び関連情報表示欄１８０の右端には、両者間に跨がるスクロールバー１８４が表示されている。
【００７９】
文書表示欄１７８には、幅広く展開された文書表示欄１７８の全幅を用いて既述のメール文書の内容が表示されている。また、関連情報表示欄１８０には、電池マーク１３６、電波強度マーク１３８、メールマーク１４０、時刻表示１８５、受信メール表示１８６、メール受信日時１８８、発信元１７２、タイトル１７４が表示されている。この場合、文書表示欄１７８は、横画面１７６の持つ横方向表示能力の全幅を用いており、表示されたメール文の文字列は横方向に十分な拡がりを以て表示されている。
【００８０】
３）縦画面（縦メイン表示モード）（図１６）
【００８１】
この縦画面１５２は、表示部１８に文書情報又は文書を含む情報を表示する場合の画面であって、縦画面１５２が有する表示可能な全横幅Ｗ（＜ＷＴ）の文書表示欄１９０が設定されている。この場合、文書表示欄１９０の上段には、関連情報表示欄１９２が設定され、文書表示欄１９０と関連情報表示欄１９２との間には、両者を仕切る仕切りバー１９１、文書表示欄１９０及び関連情報表示欄１９２の右端には、両者間に跨がるスクロールバー１９３が表示されている。可動側筐体部６を回転させて横画面１７６から中心位置ａに戻すと、縦メイン表示モードに移行し、表示部１８には縦長の縦画面１５２が表示される。この縦画面１５２は、横画面１７６と同様の表示内容を縦画面として表示したものである。図１５及び図１６の表示内容を比較すれば、明らかに横画面１７６が横方向に文字列が幅広く展開されるので、文書表示に有利であることが理解できよう。
【００８２】
次に、表示部１８の画面動作について、図１７を参照して説明する。図１７は表示部１８の処理を実行する制御プログラムの処理手順の一例を示す図である。
【００８３】
この制御プログラムは、画面切替え、表示欄の設定及び文書内容の表示等の処理手順を含んでいる。
【００８４】
図１及び図２に示す閉状態から、可動側筐体部６を開くと、固定側筐体部４に対して可動側筐体部６は図３に示す開状態となる。この開状態は、開閉センサ１１２で検出され（ステップＳ１１）、状態１として、ＣＰＵ９０では開閉センサ１１２から開状態の検出情報の取込みが行われる。
【００８５】
この開状態において、可動側筐体部６の回転が監視され、可動側筐体部６を右方向又は左方向に回転すると、回転センサ４２、４４から検出情報がＣＰＵ９０に取り込まれ、その検出情報から表示部１８が右回転か左回転かが判断され、状態２として、横メイン表示モードに移行する（ステップＳ１２）。
【００８６】
この横メイン表示モードにおいて、受信メール一覧表示機能の起動が実行され（ステップＳ１３）、受信メール一覧表示モードでは、状態３として、図１４に示すように、受信メール一覧とともに、ステータス表示が横画面に展開される（ステップＳ１４）。
【００８７】
この受信メール一覧表示機能を実行する横画面（図１４）において、特定のメールを選択する。この場合、最新のメールにカーソルを合わせて選択し、決定キー１６４を押下すれば、受信メール内容表示モードに移行し、受信メール内容表示機能の起動が実行される（ステップＳ１５）。
【００８８】
この受信メール内容表示モードでは、状態４として、図１５に示すように、横画面１７６に文書表示欄１７８が設定され、この文書表示欄１７８にテキストメール内容が表示される（ステップＳ１６）。この場合、メール文書は、横画面１７６の持つ横方向表示能力の全幅を用いて表示され、メール文の文字列は横方向に十分な拡がりを以て表示されていることは既述の通りである。
【００８９】
以上述べた第１の実施の形態について、特徴事項を抽出し、作用効果に言及する。
【００９０】
携帯端末装置２は、画面部分即ち、表示部１８が回転する構造を備えるとともに、折畳み機能を備えており、表示部１８を搭載した可動側筐体部６、通常の縦画面状態から左右方向に各々９０度ずつ回転する構造を備えている。
【００９１】
表示部１８を搭載した可動側筐体部６の回転や開閉は、センサ部９６によって検出され、また、表示部１８が右回転したか左回転したかを検出する機能を備えている。
【００９２】
そして、通常の縦画面状態から左右に９０度ずつ回転して横画面となる構造を備えていることから、縦画面を開いた状態から、左右何れかに９０度回転させることにより、横メイン表示モードに移行し、テキストメールを横幅フル表示を行うことができ、拡がりのある文字列を以て文書を容易に判読でき、文書内容の把握の迅速化に寄与する。
【００９３】
〔第２の実施の形態〕
【００９４】
本発明の第２の実施の形態について、図１８及び図１９を参照して説明する。図１８は、メール文書が表示された横サブ画面（受信メール一覧表示モード）を示す図、図１９は、メール文書が表示された横画面（受信メール内容表示モード）を示す図である。図１８及び図１９において、図１ないし図１７と同一部分には同一符号を付してある。
【００９５】
この実施の形態においても、図１ないし図１３に示す構成が用いられる。この実施の形態は、可動側筐体部６を閉じた状態で可動側筐体部６を回転させて表示部１８の視認可能なエリアを横サブ画面１９４に設定し、この横サブ画面１９４のメール表示を可動側筐体部６の開状態への移行により、テキストメールの全面表示に切り替える処理手順を示している。
【００９６】
１）横サブ画面１９４（メール受信モード）（図１８）
【００９７】
メール着信があった場合等、可動側筐体部６を閉じた状態で可動側筐体部６を例えば、右方向に回転させると、図１８に示すように、固定側筐体部４の背面側から可動側筐体部６にある表示部１８の画面の一部が露出する。露出する横画面について、横サブ画面１９４とし、この横サブ画面１９４には、着信したメールの告知情報を表示させることができる。この場合、着信日時や発信元等が表示されている。この表示内容は、既述した横画面１３０（図１４）の受信メール一覧表示欄１３４の一部表示であってもよい。
【００９８】
２）横画面１７６（受信メール内容表示モード）（図１９）
【００９９】
図１８に示す携帯端末装置２において、固定側筐体部４を矢印Ｎで示す方向に回転させると、受信メール内容表示モードでは、図１９に示すように、固定側筐体部４は可動側筐体部６の下側に置かれ、可動側筐体部６にある表示部１８は横画面１７６の全面表示となる。この全面表示は、図１５に示した横画面１７６と同一であるから、同一符号を付しその説明を省略する。
【０１００】
次に、表示部１８の画面動作について、図２０を参照して説明する。図２０は、第２の実施の形態に係る制御プログラムの処理手順を示すフローチャートである。
【０１０１】
図１及び図２に示す閉状態において、可動側筐体部６の回転が監視され、可動側筐体部６を右方向又は左方向に回転すると、回転センサ４２、４４から検出情報がＣＰＵ９０に取り込まれ（ステップＳ２１）、その検出情報から表示部１８が右回転か左回転かが判断され、横サブ表示モードに移行する（ステップＳ２２）。
【０１０２】
この横サブ表示モードにおいて、可動側筐体部６を開くと、この開状態が開閉センサ１１２により検出され、その開状態の検出情報が取り込まれ（ステップＳ２３）、横メイン表示モードでは、受信メール内容表示機能の起動が実行される（ステップＳ２４）。
【０１０３】
この受信メール内容表示モードでは、図１９に示すように、横画面１７６に文書表示欄１７８が設定され、この文書表示欄１７８にテキストメール内容が表示される（ステップＳ２５）。既述したように、メール文書は、横画面１７６の持つ横方向表示能力の全幅を用いて表示され、メール文の文字列は横方向に十分な拡がりを以て表示されていることは既述の通りである。
【０１０４】
この実施の形態では、横サブ表示モードから可動側筐体部６又は固定側筐体部４の開状態への操作により、横メイン表示モードに移行させ、横画面にテキストメールの全面表示を行えるので、迅速なメール確認及びメール文の把握の迅速化に寄与する。
【０１０５】
〔他の実施の形態〕
【０１０６】
(1) 上記実施の形態では、電子機器として携帯端末装置２を例示したが、本発明は可動側筐体部６を備え、メール作成機能等を備えるゲーム機器や時計等にも本発明を適用することができる。
【０１０７】
(2) 表示部１８に文書情報又は文書を含む情報を表示する場合について、上記実施の形態では、受信メールの表示を例示したが、本発明は、インターネット等のネットワークを媒介として提供される各種の文書情報や文書を含む情報の表示に適用することができる。
【０１０８】
(3) 上記実施の形態では、メール文書の表示について例示しているが、パーソナルコンピュータ等の情報量の多い文書が送付された場合には、縦画面表示であっても、自動的に横画面表示に切り替えられ、横長の文字列を以て表示させる構成としてもよい。
【０１０９】
(4) 上記実施の形態では、固定側筐体部４、可動側筐体部６及び／又は可動アーム部８により、開閉可能及び／又は回転可能な筐体部を構成しているが、固定側筐体部４と可動側筐体部６とを以て開閉可能及び／又は回転可能な筐体部を構成してもよい。
【０１１０】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１１１】
（付記１）  開閉可能及び／又は回転可能な筐体部に表示機能を備える電子機器であって、
縦画面又は横画面を表示する表示部と、
前記表示部に文書情報又は文書を含む情報を表示する場合、前記表示部に設定される前記横画面に、該横画面が有する表示可能な全横幅の表示欄を設定し、該表示欄に前記情報を表示させる制御部と、
を備えることを特徴とする電子機器。
【０１１２】
（付記２）  付記１の電子機器において、
前記制御部は、文書一覧を表示する場合、前記横画面に前記縦画面と同等幅の文書一覧表示欄を設定し、該文書一覧表示欄に文書タイトルを表示させることを特徴とする電子機器。
【０１１３】
（付記３）  付記１の電子機器において、
前記制御部は、文書一覧を表示する場合、前記横画面にステータス表示欄と、前記縦画面と同等幅の文書一覧表示欄とを設定し、前記文書一覧表示欄に文書タイトルを表示させることを特徴とする電子機器。
【０１１４】
（付記４）  付記３の電子機器において、
前記制御部は、文書一覧表示から文書内容表示に変更した場合に、前記表示部の前記横画面に表示可能な全横幅の表示欄を設定し、該表示欄に前記情報を表示させることを特徴とする電子機器。
【０１１５】
（付記５）  付記１の電子機器において、
前記制御部は、前記表示部を前記縦画面から前記横画面に切り替えた場合、前記縦画面の表示内容を前記横画面の前記表示欄に切り替えて表示することを特徴とする電子機器。
【０１１６】
（付記６）  付記１の電子機器において、
前記表示部の回転及び／又は回転位置を検出する回転センサを備え、前記制御部は、前記回転センサの検出情報に基づき、前記表示部を前記横画面の表示に切り替えることを特徴とする電子機器。
【０１１７】
（付記７）  付記１の電子機器において、
前記表示部の開状態又は閉状態を検出する開閉センサを備え、前記制御部は、前記開閉センサが前記表示部の開状態を検出した場合に、前記表示部を横サブ画面から前記横画面の表示に切り替えることを特徴とする電子機器。
【０１１８】
（付記８）  付記１の電子機器において、
固定側筐体部にヒンジ部を介して可動アーム部が取り付けられ、この可動アーム部に可動側筐体部が回転可能に取り付けられ、この可動側筐体部に前記表示部が設置されたことを特徴とする電子機器。
【０１１９】
（付記９）  付記１の電子機器において、
前記文書がメール文であることを特徴とする電子機器。
【０１２０】
（付記１０）  付記７の電子機器において、
前記横サブ画面は、閉じられた前記表示部を右回転又は左回転させた場合に表示されることを特徴とする電子機器。
【０１２１】
（付記１１）  開閉可能及び／又は回転可能な筐体部に表示機能を備える電子機器の制御方法であって、
縦画面又は横画面を表示するステップと、
文書情報又は文書を含む情報を表示する場合、前記横画面に、該横画面が有する表示可能な全横幅の表示欄を設定し、該表示欄に前記情報を表示させるステップと、
を含むことを特徴とする電子機器の制御方法。
【０１２２】
（付記１２）  付記１１の電子機器の制御方法において、
文書一覧を表示する場合、前記横画面に前記縦画面と同等幅の文書一覧表示欄を設定し、該文書一覧表示欄に文書タイトルを表示させるステップを含むことを特徴とする電子機器の制御方法。
【０１２３】
（付記１３）  付記１１の電子機器の制御方法において、
文書一覧を表示する場合、前記横画面にステータス表示欄と、前記縦画面と同等幅の文書一覧表示欄とを設定し、前記文書一覧表示欄に文書タイトルを表示させるステップを含むことを特徴とする電子機器の制御方法。
【０１２４】
（付記１４）  付記１３の電子機器の制御方法において、
文書一覧表示から文書内容表示に変更した場合に、前記横画面に表示可能な全横幅の表示欄を設定し、該表示欄に前記情報を表示させるステップを含むことを特徴とする電子機器の制御方法。
【０１２５】
（付記１５）  付記１１の電子機器の制御方法において、
前記縦画面から前記横画面に切り替えた場合、前記縦画面の表示内容を前記横画面の前記文書表示欄に切り替えて表示するステップを含むことを特徴とする電子機器の制御方法。
【０１２６】
（付記１６）  付記１１の電子機器の制御方法において、
前記筐体部の回転及び／又は回転位置の検出情報に基づき、前記横画面の表示に切り替えるステップを含むことを特徴とする電子機器の制御方法。
【０１２７】
（付記１７）  付記１１の電子機器の制御方法において、
前記筐体部の開状態又は閉状態の検出情報に基づき、横サブ画面から前記横画面の表示に切り替えるステップを含むことを特徴とする電子機器の制御方法。
【０１２８】
（付記１８）  コンピュータにより実行される、開閉可能及び／又は回転可能な筐体部に表示機能を備える電子機器の制御プログラムであって、
縦画面又は横画面を表示するステップと、
文書情報又は文書を含む情報を表示する場合、前記横画面に、該横画面が有する表示可能な全横幅の表示欄を設定し、該表示欄に前記情報を表示させるステップと、
を含み、コンピュータに実行させることを特徴とする電子機器の制御プログラム。
【０１２９】
（付記１９）  付記１８の電子機器の制御プログラムにおいて、
文書一覧を表示する場合、前記横画面に前記縦画面と同等幅の文書一覧表示欄を設定し、該文書一覧表示欄に文書タイトルを表示させるステップを含むことを特徴とする電子機器の制御プログラム。
【０１３０】
（付記２０）  付記１８の電子機器の制御プログラムにおいて、
文書一覧を表示する場合、前記横画面にステータス表示欄と、前記縦画面と同等幅の文書一覧表示欄とを設定し、前記文書一覧表示欄に文書タイトルを表示させるステップを含むことを特徴とする電子機器の制御プログラム。
【０１３１】
（付記２１）  付記１８の電子機器の制御プログラムにおいて、
文書一覧表示から文書内容表示に変更した場合に、前記横画面に表示可能な全横幅の表示欄を設定し、該表示欄に前記情報を表示させるステップを含むことを特徴とする電子機器の制御プログラム。
【０１３２】
（付記２２）  付記１８の電子機器の制御プログラムにおいて、
前記縦画面から前記横画面に切り替えた場合、前記縦画面の表示内容を前記横画面の前記文書表示欄に切り替えて表示するステップを含むことを特徴とする電子機器の制御プログラム。
【０１３３】
（付記２３）  付記１８の電子機器の制御プログラムにおいて、
前記筐体部の回転及び／又は回転位置の検出情報に基づき、前記横画面の表示に切り替えるステップを含むことを特徴とする電子機器の制御プログラム。
【０１３４】
（付記２４）  付記１８の電子機器の制御プログラムにおいて、
前記筐体部の開状態又は閉状態の検出情報に基づき、横サブ画面から前記横画面の表示に切り替えるステップを含むことを特徴とする電子機器の制御プログラム。
【０１３５】
（付記２５）  開閉可能及び／又は回転可能な筐体部に表示機能を備える電子機器の制御プログラムをコンピュータ読込み可能に格納した記録媒体であって、
縦画面又は横画面を表示するステップと、
文書情報又は文書を含む情報を表示する場合、前記横画面に、該横画面が有する表示可能な全横幅の表示欄を設定し、該表示欄に前記情報を表示させるステップと、
を含む、コンピュータに実行させることを特徴とする、電子機器の制御プログラムをコンピュータ読込み可能に格納した記録媒体。
【０１３６】
（付記２６）  付記２５の記録媒体において、
文書一覧を表示する場合、前記横画面に前記縦画面と同等幅の文書一覧表示欄を設定し、該文書一覧表示欄に文書タイトルを表示させるステップを含むことを特徴とする、電子機器の制御プログラムをコンピュータ読込み可能に格納した記録媒体。
【０１３７】
（付記２７）  付記２５の記録媒体において、
文書一覧を表示する場合、前記横画面にステータス表示欄と、前記縦画面と同等幅の文書一覧表示欄とを設定し、前記文書一覧表示欄に文書タイトルを表示させるステップを含むことを特徴とする、電子機器の制御プログラムをコンピュータ読込み可能に格納した記録媒体。
【０１３８】
（付記２８）  付記２５の記録媒体において、
文書一覧表示から文書内容表示に変更した場合に、前記横画面に表示可能な全横幅の表示欄を設定し、該表示欄に前記情報を表示させるステップを含むことを特徴とする、電子機器の制御プログラムをコンピュータ読込み可能に格納した記録媒体。
【０１３９】
（付記２９）  付記２５の記録媒体において、
前記縦画面から前記横画面に切り替えた場合、前記縦画面の表示内容を前記横画面の前記文書表示欄に切り替えて表示するステップを含むことを特徴とする、電子機器の制御プログラムをコンピュータ読込み可能に格納した記録媒体。
【０１４０】
（付記３０）  付記２５の記録媒体において、
前記筐体部の回転及び／又は回転位置の検出情報に基づき、前記横画面の表示に切り替えるステップを含むことを特徴とする、電子機器の制御プログラムをコンピュータ読込み可能に格納した記録媒体。
【０１４１】
（付記３１）  付記２５の記録媒体において、
前記筐体部の開状態又は閉状態の検出情報に基づき、横サブ画面から前記横画面の表示に切り替えるステップを含むことを特徴とする、電子機器の制御プログラムをコンピュータ読込み可能に格納した記録媒体。
【０１４２】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１４３】
本発明は、回転可能及び／又は開閉可能な筐体部に表示機能を備える携帯端末装置等の電子機器に関し、文字列等からなる文書情報又は文書を含む情報を表示する場合、横画面に対して表示可能な全横幅に表示欄を設定することにより、前記情報を表示するので、情報表示機能の向上が図られるとともに、表示された情報の把握が容易になる等、表示機能を備える電子機器の機能性及び操作性の向上に寄与する等、有用である。
【符号の説明】
【０１４４】
２  携帯端末装置
４  固定側筐体部
６  可動側筐体部
８  可動アーム部
１８  表示部
４２、４４  回転センサ
９０  ＣＰＵ（制御部）
１１２  開閉センサ
１３０、１７６  横画面
１５２  縦画面
１７８  文書表示欄
１９４  横サブ画面
【図１】
2011050093.tif 000003
【図２】
2011050093.tif 000004
【図３】
2011050093.tif 000005
【図４】
2011050093.tif 000006
【図５】
2011050093.tif 000007
【図６】
2011050093.tif 000008
【図７】
2011050093.tif 000009
【図８】
2011050093.tif 000010
【図９】
2011050093.tif 000011
【図１０】
2011050093.tif 000012
【図１１】
2011050093.tif 000013
【図１２】
2011050093.tif 000014
【図１３】
2011050093.tif 000015
【図１４】
2011050093.tif 000016
【図１５】
2011050093.tif 000017
【図１６】
2011050093.tif 000018
【図１７】
2011050093.tif 000019
【図１８】
2011050093.tif 000020
【図１９】
2011050093.tif 000021
【図２０】
2011050093.tif 000022